(57)【特許請求の範囲】
【請求項１】
蓄熱剤を内蔵する蓄熱剤ケース及びこの蓄熱剤ケースの下面に装着されたヒータからなる蓄熱ボードと、床材とから構成される床暖房パネルにおいて、当該蓄熱剤ケースの長手方向側縁に立ち上がり壁を設けるとともにこの立ち上がり壁上端から水平かつ長手方向に沿って取付部を突設し、この取付部に設けられた挿通孔を介して当該蓄熱ボードを支持部材により床材裏面に吊り下げ支持したことを特徴とする蓄熱式床暖房パネル。
【請求項２】
上記支持部材が、上記蓄熱剤ケースの立ち上がり壁上端から水平かつ長手方向に沿って突設した取付部に設けられた挿通孔と遊嵌合して上記蓄熱ボードを上記床材裏面に吊り下げ支持している、請求項１記載の蓄熱式床暖房パネル。
【請求項３】
上記蓄熱剤ケースの立ち上がり壁上端から水平かつ長手方向に沿って突設された取付部と、上記床材裏面との間に弾性材が介装された請求項１又は２に記載の蓄熱式床暖房パネル。
【請求項４】
上記支持部材が木ねじである請求項１乃至３のいずれか１項に記載の蓄熱式床暖房パネル。
【請求項５】
上記蓄熱剤が固形パラフィンである請求項１乃至４のいずれか１項に記載の蓄熱式床暖房パネル。
【請求項６】
上記蓄熱剤ケースがポリプロピレンの一体成形で構成されている請求項１乃至５のいずれか１項に記載の蓄熱式床暖房パネル。
【発明の詳細な説明】
【０００１】
【発明の属する技術分野】
本発明は、床暖房パネルに関する。さらに詳しくは、蓄熱ボードを床材の裏面に装着し、パネル化した蓄熱式床暖房パネルに関する。
【０００２】
【従来の技術】
従来、床暖房パネルについては、実開平１−８２４１０号、特開平８−１２１７９０号、特開２０００−３９１５９号等各公報に記載の技術が知られている。中でも、特開２０００−３９１５９号公報には、床暖房パネルの長手方向側端部に根太どうしの間で係止する弾性係止部を設け、当該床暖房パネルが仮支持されてから取付け、固定を行う方法が示されている。
【０００３】
一方、近年、省エネルギーの観点から、蓄熱剤を内蔵した蓄熱ボードが提案されている。この蓄熱ボードは、ヒータから供給された熱エネルギを一旦蓄熱剤に蓄えた後、徐々に放熱するため、床材と一体化して蓄熱式床暖房パネルとすると、効率よく床暖房を行うことができる。図５（ａ）は、上記公知の蓄熱ボードを固定金具によって床材の裏面に固定した蓄熱式床暖房パネルの幅方向の断面図であり、図５（ｂ）はその長手方向側面図である。図５（ａ）からよくわかるように、蓄熱ボードＡは、蓄熱剤５１を内蔵する蓄熱剤ケース５２と、この蓄熱剤ケース５２の下面に装着されたヒータ５３とから構成されている。上記蓄熱ボードＡは、床材５５の裏面に複数の木ねじ５６によって固定金具５４を用いて保持され、さらに、床材５５と蓄熱ボードＡの長手方向側端部の間に挿入された長尺の押さえ金具５７によって、上下に動かないようにしっかりと固定されている。このように、床材５５は蓄熱ボードＡと一体的にパネル化され、蓄熱式床暖房パネルを構成している。
【０００４】
【発明が解決しようとする課題】
しかしながら、上記したように床材５５と蓄熱ボードＡを一体化して固定しようとすると次のような問題点が生じる。すなわち、蓄熱ボードＡは、蓄熱時にヒータ５３により加熱されると、その下面にヒータ５３が装着されているため下面側の方が上面側より高温となり、熱応力により下方に膨らむ力が発生し下方に凸に反ろうとする。
【０００５】
そのため、床材と蓄熱式床暖房パネルを一体化し、熱応力による蓄熱ボードＡの変形を固定金具５４や押さえ金具５７によって固定する従来の固定方法では、上記した熱応力が繰り返しかけられると、木ねじ５６が抜けたり、場合によっては固定金具５４が破壊するという問題があった。本発明はこのような問題を解決するためになされたものであって、蓄熱ボードＡを床材の裏面に装着するための改良された取付構造を備えた蓄熱式床暖房パネルを提供することをその課題とする。
【０００６】
【課題を解決するための手段】
すなわち、本発明によれば、蓄熱剤を内蔵する蓄熱剤ケース及びこの蓄熱剤ケースの下面に装着されたヒータからなる蓄熱ボードと、床材とから構成される床暖房パネルにおいて、当該蓄熱剤ケースの長手方向側縁に立ち上がり壁を設けるとともにこの立ち上がり壁上端から水平かつ長手方向に沿って取付部を突設し、この取付部に設けられた挿通孔を介して当該蓄熱ボードを支持部材により床材裏面に吊り下げ支持された蓄熱式床暖房パネルが提供される。
【０００７】
上記のような構成とすることによって、蓄熱ボードが隙間を介して床材の裏面から吊り下げられているため、ヒータによる加熱、その後の放熱による床暖房が繰り返されても上記蓄熱ボードは略自由に膨張収縮することができる。その結果、支持部材や取付部にかかる力が緩和されるため、上記支持部材が抜けたり、上記取付部が破壊するといった問題点を解決することができる。
【０００８】
さらに、上記蓄熱式床暖房パネルは、上記蓄熱剤ケースの立ち上がり壁上端から水平かつ長手方向に沿って突設された取付部に挿通孔を設け、この挿通孔と遊嵌合する支持部材により上記蓄熱ボードを床材裏面から吊り下げる構造とすることが好ましい。このようにすれば、上記蓄熱ボードが上記した理由で、下方に膨張して反るとともに水平に移動する力が働いても、支持部材は遊嵌合しているため、上記支持部材に大きな力がかかることを防げる。
【０００９】
さらに上記蓄熱剤ケースの立ち上がり壁上端から水平かつ長手方向に沿って突設された取付部と、上記床材の裏面との間に弾性材を介装することが好ましい。このようにすることによって、上記蓄熱ボードは弾性材を介して支持部材によりしっかりと支持されるとともに、下方に膨らんで反るときに生じる上下方向の変形はこの弾性材が収縮することにより吸収される。その結果、長期間に亘ってヒータによる加熱、その後の放熱による床暖房が繰り返されても木ねじが抜けたり固定金具が破壊されるという問題を生じることはない。
【００１０】
上記支持部材は、木ねじであることが好ましい。上記床材は、通常、合板又はムクのつき板等木質系材料によって製造されているため、上記木ねじが挿通孔を介してねじ留めされることにより、上記蓄熱ボードを上記床材の裏面にしっかりと吊り下げ支持することができる。
【００１１】
【発明の実施の形態】
以下、本発明の好ましい実施の形態について、図面を参照してより詳細に説明する。図１は、本発明にかかる蓄熱式床暖房パネルの幅方向の断面図である。蓄熱ボードＡは、蓄熱剤１を密封状態で内蔵した蓄熱剤ケース２と、この蓄熱剤ケース２の下面に装着されたヒータ３から構成されている。蓄熱ボードＡは、通常、ポリプロピレンによって一体的に成形されており、また、ヒータ３としては、面状ヒータが好ましく用いられ、蓄熱剤ケース２の下面に粘着、その他機械的方法等により装着される。
【００１２】
ヒータ３に給電（給電用配線、コネクター等については図示略）されると、通常、室温で固体である蓄熱剤１は、加熱され、融解して液体となる。給電が続けられて、蓄熱剤１の温度が上限設定温度に達するとヒータ３への給電が停止され、蓄熱剤１は融解潜熱を徐々に放熱して床を暖房しながら固体に戻る。一方、放熱により温度低下して固体に戻った蓄熱剤１の温度が、下限設定温度まで達すると再びヒータ３への給電が開始され、加熱されて融解する。上記ヒータ３への給電、給電停止は通常用いられている温度調節装置、例えば、サーモスタット等を用いて行われる。また、蓄熱剤としては、加熱により溶融し、冷却により潜熱を放出する物質であればとくに限定されることはないが、例えば、固形パラフィンが用いられる。
【００１３】
上記したように、ヒータ３から供給された熱エネルギーを一旦蓄熱剤に蓄えた後、徐々に放熱するようにされた蓄熱ボードＡは、床材５と容易にパネル化され、省エネルギー的に優れているとともに、施工性にも優れた蓄熱式床暖房パネルを与える。図１からよくわかるように、本発明の蓄熱式床暖房パネルにおいて、この蓄熱ボードＡは、隙間４を介して床材５の裏面に木ねじ６により吊り下げるように支持されている。この木ねじ６は、蓄熱剤ケース２の立ち上がり壁上端から水平かつ長手方向に沿って突設された取付部７に設けられた挿通孔８を挿通し、床材５の裏面にしっかりとねじ留めされる。また、床材５の裏面には均熱板としてのアルミニウム箔９が装着され、また蓄熱剤ケース２の立ち上がり壁で囲まれる部分は空間１０を形成する。上記のように構成された本発明にかかる蓄熱式床暖房パネルは、ヒータ３による加熱、その後の放熱による床暖房を繰り返し、長期間に亘って使用されても、蓄熱ボードＡは下方へ自由膨張するため、木ねじ６が抜けたり取付部７が破壊されるという問題を生じることはない。
【００１４】
また、上記木ねじ６は、長円形に形成された挿通孔８に遊嵌合することが好ましい。図２（ａ）は、蓄熱剤１を内蔵する蓄熱剤ケース２の立ち上がり壁上端から水平かつ長手方向の全長に亘って突設された取付部７に設けられた挿通孔８に、木ねじ６を遊嵌合させたときの部分斜視図である。図２（ｂ）は、蓄熱剤１を内蔵する蓄熱剤ケース２の立ち上がり壁上端から水平かつ長手方向の複数の個所に突設された取付部７に設けられた挿通孔８に、木ねじ６を遊嵌合させたときの部分斜視図である。このようにすれば、蓄熱ボードＡは下方への自由膨張できるととともに横方向へも自由に膨張できるため、さらに好ましい。
【００１５】
さらに、本発明の蓄熱式床暖房パネルは、床材５の裏面と蓄熱ボードＡとの隙間４にウレタン類、ゴム類等の弾性材１１を介装し、木ねじ６により固定することが好ましい。図３に、弾性材１１を介装したときの幅方向の断面図を示す。このように弾性材１１を介装することにより、蓄熱剤ケース２の立ち上がり壁で囲まれて形成された空間１０は密閉され、蓄熱剤１からの熱が外部に逃げることを防ぐとともに、チリやホコリが空間１０に進入することを防ぐという効果をあげることができる。なお、上記弾性材に替えて発泡スチロール等の緩衝材を用いてもよい。
【００１６】
なお、図３においては、上記空間１０に放熱制御アクチュエータ１２が設けられている。この放熱制御アクチュエータ１２は、軟質プラスチック製の矩形状の上シートと矩形状の下シートを重ね、周縁をヒートシールすることにより袋状に形成されるとともに、空気を送入するための空気送入口１３及び空気排出口（図示せず）が設けられている。すなわち、放熱制御アクチュエータ１２は、空気を出し入れすることによって膨張収縮し、その度合いによって蓄熱剤１からの放熱量を制御するように動作する。
【００１７】
図４に本発明の一実施形態にかかる蓄熱式床暖房パネルの斜視図を示す。図４において、符号１４は、蓄熱ボードＡに通電するためのコネクタを収納するコネクタ部である。図４に示す蓄熱式床暖房パネルは、通常、複数枚が根太の間や上に敷きこまれ、床面とすることにより、快適な床暖房効果を得ることができる。
【００１８】
【発明の効果】
本発明の蓄熱式床暖房パネルは、蓄熱剤を内蔵する蓄熱剤ケース及びこの蓄熱剤ケースの下面に装着されたヒータからなる蓄熱ボードと、床材とから構成される床暖房パネルであって、当該蓄熱剤ケースの長手方向側縁に立ち上がり壁を設けるとともにこの立ち上がり壁上端から水平かつ長手方向に沿って取付部を突設し、この取付部に設けられた挿通孔を介して当該蓄熱ボードを支持部材により床材裏面に吊り下げ支持したことを特徴とする。
【００１９】
上記のような構成とすることにより、蓄熱ボードが隙間を介して床材の裏面から吊り下げられているため、ヒータによる加熱、その後の放熱による床暖房が繰り返されても、蓄熱ボードは上下方向に自由に膨張して反ることができる。その結果、支持部材や取付部にかかる力を大きく緩和することができる。
【００２０】
さらに、上記支持部材は、上記蓄熱剤ケースの立ち上がり壁上端から水平かつ長手方向に沿って突設した取付部に設けられた挿通孔と遊嵌合させることによって、上記蓄熱ボードを上記床材裏面に吊り下げ支持していることが好ましい。このような構成とすることによって、上記蓄熱ボードが熱応力により反りや、水平方向の膨張収縮が生しても、遊嵌合する支持部材に大きな力がかかることを防げる。
【００２１】
さらに、本発明の蓄熱式床暖房パネルは、床材の裏面と、上記蓄熱剤ケースの立ち上がり壁上端から水平かつ長手方向に沿って突設された取付部との間に、弾性材が介装されることが好ましい。このような構成とすることによって、蓄熱剤ケースの立ち上がり壁で囲まれて形成された空間が密閉され、蓄熱剤からの熱が外部に逃げることを防ぎ、断熱効果をあげることができる。さらに外部からチリやホコリが空間内に侵入することを防げる。
【００２２】
上記支持部材は、木ねじであることが好ましい。床材の裏面にねじ留めすることができるため、蓄熱ボードＡをしっかりと吊り下げ支持、又は弾性材を介装して固定することができる。
【図面の簡単な説明】
【図１】本発明の一実施形態にかかる蓄熱式床暖房パネルの幅方向の断面図である。
【図２】（ａ）遊嵌合する支持部材の一実施形態を示す部分斜視図である。
（ｂ）遊嵌合する支持部材の他の実施形態を示す部分斜視図である。
【図３】本発明の他の実施形態にかかる蓄熱式床暖房パネルの幅方向の断面図である。
【図４】本発明の一実施形態にかかる蓄熱式床暖房パネルの斜視図である。
【図５】（ａ）公知の蓄熱式床暖房パネルの幅方向の断面図である。
（ｂ）公知の蓄熱式床暖房パネルの側面図である。
【符号の説明】
１      蓄熱剤                      ２      蓄熱剤ケース
３      ヒータ                      ４      隙間
５      床材                        ６      木ねじ
７      取付部                      ８      挿通孔
９      アルミニウム箔            １０      空間
１１      弾性材                    １２      放熱制御アクチュエータ
１３      空気送入口                １４      コネクター部
Ａ      蓄熱ボード
【図１】
0003644374.tif 000002
【図２】
0003644374.tif 000003
【図３】
0003644374.tif 000004
【図４】
0003644374.tif 000005
【図５】
0003644374.tif 000006